(57)【要約】【課題】本発明は、建物内の電力消費を管理するアプローチを提供することを目的とする。【解決手段】ユーザが建物に入ったか又は出たかを示す信号を受信して、建物内の１つ又はそれ以上の資源が、第１状態と第２状態の間で変化される。第１の状態で動作しているときには、１つ又はそれ以上の資源は、第２の状態で動作しているときと比較して、相対的に低い電力を消費する。ユーザが建物に入ったか場合には、１つ又はそれ以上の資源が、第１の状態から第２の状態へ変化される。ユーザが建物から出た場合には、１つ又はそれ以上の資源が、第２の状態から第１の状態へ変化される。ユーザが、建物に入った最初のユーザであった場合には、１つ又はそれ以上の共有された資源が、第１の状態から第２の状態へ変化される。ユーザが建物から出た最後のユーザであった場合には、１つ又はそれ以上の共有された資源が、第２の状態から第１の状態へ変化される。【選択図】　　　図１
2004110778.tif 000002
【特許請求の範囲】
【請求項１】
建物内の電力消費を管理する方法であって、
ユーザが建物に入ったか又は出たかを示す信号を受信するコンピュータで実行されるステップと、
信号を受信すること応答して、建物内の１つ又はそれ以上の資源に、
第１の状態で動作しているときには、１つ又はそれ以上の資源は、１つ又はそれ以上の資源が第２の状態で動作しているときと比較して、相対的に低い電力を消費する、第１の状態と第２の状態の間の変化を発生させるコンピュータで実行されるステップとを有する、建物内の電力消費を管理する方法。
【請求項２】
更に、
信号と状態データに基づいて、ユーザが、建物に入ったか又は建物を出たかどうかを決定するコンピュータで実行されるステップと、
ユーザが建物に入った場合には、建物内の１つ又はそれ以上の資源を、第１の状態から第２の状態へ変化させるコンピュータで実行されるステップと、
ユーザが建物から出た場合には、建物内の１つ又はそれ以上の資源を、第２の状態から第１の状態へ変化させるコンピュータで実行されるステップとを有する、請求項１に記載の建物内の電力消費を管理する方法。
【請求項３】
更に、
信号と状態データに基づいて、ユーザが、建物に入った最初のユーザであったか又は建物から出た最後のユーザであったかの決定を行うコンピュータで実行されるステップと、
ユーザが、建物に入った最初のユーザであった場合には、建物内の１つ又はそれ以上の共有された資源を、第１の状態から第２の状態へ変化させるコンピュータで実行されるステップと
ユーザが建物から出た最後のユーザであった場合には、建物内の１つ又はそれ以上の共有された資源を、第２の状態から第１の状態へ変化させるコンピュータで実行されるステップとを有する、請求項２に記載の建物内の電力消費を管理する方法。
【請求項４】
１つ又はそれ以上の資源はコンピュータを含み、
ユーザが建物を出た最後のユーザであったことが決定され、
建物内の１つ又はそれ以上の共有された資源を、第２の状態から第１の状態へ変化させるステップは、コンピュータ上で実行する１つ又はそれ以上の処理を終了させ且つコンピュータを低電力消費状態へ変化させることを含む、請求項２に記載の建物内の電力消費を管理する方法。
【請求項５】
１つ又はそれ以上の資源はユーザにより使用される１つ又はそれ以上の個人資源であり、
この方法は、更に、複数の資源から１つ又はそれ以上の個人資源を決定するコンピュータで実行されるステップを有する、請求項１に記載の建物内の電力消費を管理する方法。
【請求項６】
１つ又はそれ以上の資源はそのユーザと１又はそれ以上の他のユーザの両方により使用される１つ又はそれ以上の共有された資源であり、
この方法は、更に、複数の資源から１つ又はそれ以上の共有された資源を決定するコンピュータで実行されるステップを有する、請求項１に記載の建物内の電力消費を管理する方法。
【請求項７】
１つ又はそれ以上の資源は、電灯を含む、請求項１に記載の建物内の電力消費を管理する方法。
【請求項８】
１つ又はそれ以上の資源は、暖房／空調装置を含む、請求項１に記載の建物内の電力消費を管理する方法。
【請求項９】
信号は、特定のユーザを識別する識別子を検出するのに応答して発生される、請求項１に記載の建物内の電力消費を管理する方法。
【請求項１０】
建物内の電力消費を管理するコンピュータ読み出し可能な媒体であって、１つ又はそれ以上のプロセッサにより実行されたときに、１つ又はそれ以上のプロセッサに、
ユーザが建物に入ったか又は出たかを示す信号を受信するステップと、
信号を受信することに応答して、建物内の１つ又はそれ以上の資源に、
第１の状態で動作しているときには、１つ又はそれ以上の資源は、１つ又はそれ以上の資源が第２の状態で動作しているときと比較して、相対的に低い電力を消費する、第１の状態と第２の状態の間の変化を発生させるステップと、
を実行させる命令の１つ又はそれ以上のシーケンスを保持する、コンピュータ読み出し可能な媒体。
【請求項１１】
更に、１つ又はそれ以上のプロセッサにより実行されたときに、１つ又はそれ以上のプロセッサに、
信号と状態データに基づいて、ユーザが、建物に入ったか又は建物を出たかどうかを決定するステップと、
ユーザが建物に入った場合には、建物内の１つ又はそれ以上の資源を、第１の状態から第２の状態へ変化させるステップと、
ユーザが建物から出た場合には、建物内の１つ又はそれ以上の資源を、第２の状態から第１の状態へ変化させるステップと、
を実行させる１つ又はそれ以上の追加の命令を含む、請求項１０に記載のコンピュータ読み出し可能な媒体。
【請求項１２】
更に、１つ又はそれ以上のプロセッサにより実行されたときに、１つ又はそれ以上のプロセッサに、
信号と状態データに基づいて、ユーザが、建物に入った最初のユーザであったか又は建物から出た最後のユーザであったかの決定を行うステップと、
ユーザが、建物に入った最初のユーザであった場合には、建物内の１つ又はそれ以上の共有された資源を、第１の状態から第２の状態へ変化させるステップとユーザが建物から出た最後のユーザであった場合には、建物内の１つ又はそれ以上の共有された資源を、第２の状態から第１の状態へ変化させるステップと、を実行させる１つ又はそれ以上の追加の命令を含む、請求項１１に記載のコンピュータ読み出し可能な媒体。
【請求項１３】
１つ又はそれ以上の資源はコンピュータを含み、
ユーザが建物を出た最後のユーザであったことが決定され、
建物内の１つ又はそれ以上の共有された資源を、第２の状態から第１の状態へ変化させるステップは、コンピュータ上で実行する１つ又はそれ以上の処理を終了させ且つコンピュータを低電力消費状態へ変化させることを含む、請求項１１に記載のコンピュータ読み出し可能な媒体。
【請求項１４】
１つ又はそれ以上の資源はユーザにより使用される１つ又はそれ以上の個人資源であり、
このコンピュータ読み出し可能な媒体は、更に、１つ又はそれ以上のプロセッサにより実行されたときに、１つ又はそれ以上のプロセッサに、複数の資源から１つ又はそれ以上の個人資源を決定するステップを実行させる１つ又はそれ以上の追加の命令を含む、請求項１０に記載のコンピュータ読み出し可能な媒体。
【請求項１５】
１つ又はそれ以上の資源はそのユーザと１又はそれ以上の他のユーザの両方により使用される１つ又はそれ以上の共有された資源であり、
このコンピュータ読み出し可能な媒体は、更に、１つ又はそれ以上のプロセッサにより実行されたときに、１つ又はそれ以上のプロセッサに、複数の資源から１つ又はそれ以上の共有された資源を決定するステップを実行させる１つ又はそれ以上の追加の命令を含む、請求項１０に記載のコンピュータ読み出し可能な媒体。
【請求項１６】
１つ又はそれ以上の資源は、電灯を含む、請求項１０に記載のコンピュータ読み出し可能な媒体。
【請求項１７】
１つ又はそれ以上の資源は、暖房／空調装置を含む、請求項１０に記載のコンピュータ読み出し可能な媒体。
【請求項１８】
信号は、特定のユーザを識別する識別子を検出するのに応答して発生される、請求項１０に記載のコンピュータ読み出し可能な媒体。
【請求項１９】
１つ又はそれ以上のプロセッサにより実行されたときに、１つ又はそれ以上のプロセッサに、
ユーザが建物に入ったか又は出たかを示す信号を受信するステップと、
信号を受信することに応答して、建物内の１つ又はそれ以上の資源に、
第１の状態で動作しているときには、１つ又はそれ以上の資源は、１つ又はそれ以上の資源が第２の状態で動作しているときと比較して、相対的に低い電力を消費する、第１の状態と第２の状態の間の変化を発生させるステップと、
を実行させる、１つ又はそれ以上の命令のシーケンスを含むメモリを有するコンピュータシステム。
【請求項２０】
メモリは、更に、１つ又はそれ以上のプロセッサにより実行されたときに、１つ又はそれ以上のプロセッサに、
信号と状態データに基づいて、ユーザが、建物に入ったか又は建物を出たかどうかを決定するステップと、
ユーザが建物に入った場合には、建物内の１つ又はそれ以上の資源を、第１の状態から第２の状態へ変化させるステップと、
ユーザが建物から出た場合には、建物内の１つ又はそれ以上の資源を、第２の状態から第１の状態へ変化させるステップと、
を実行させる、１つ又はそれ以上の追加の命令を含む、請求項１９に記載のコンピュータシステム。
【請求項２１】
メモリは、更に、１つ又はそれ以上のプロセッサにより実行されたときに、１つ又はそれ以上のプロセッサに、
信号と状態データに基づいて、ユーザが、建物に入った最初のユーザであったか又は建物から出た最後のユーザであったかの決定を行うステップと、
ユーザが、建物に入った最初のユーザであった場合には、建物内の１つ又はそれ以上の共有された資源を、第１の状態から第２の状態へ変化させるステップとユーザが建物から出た最後のユーザであった場合には、建物内の１つ又はそれ以上の共有された資源を、第２の状態から第１の状態へ変化させるステップと、を実行させる、１つ又はそれ以上の追加の命令を含む、請求項２０に記載のコンピュータシステム。
【請求項２２】
１つ又はそれ以上の資源はコンピュータを含み、
ユーザが建物を出た最後のユーザであったことが決定され、
建物内の１つ又はそれ以上の共有された資源を、第２の状態から第１の状態へ変化させるステップは、コンピュータ上で実行する１つ又はそれ以上の処理を終了させ且つコンピュータを低電力消費状態へ変化させることを含む、請求項２０に記載のコンピュータシステム。
【発明の詳細な説明】
【０００１】
【発明の属する技術分野】
本発明は、一般的には、電力管理に関し、特に建物内の電力消費を管理するアプローチに関連する。
【０００２】
【従来の技術】
環境問題と電気のコストの上昇のために、電力消費を減少させることは、企業の重要な問題となった。企業は、従業員が仕事を終えたときに毎日、電灯とパーソナルコンピュータの電源を切ることを推奨する従業員教育により、電力消費を減少させる大きな進歩をした。このアプローチの成功は、使用していないときに電灯、コンピュータ及び、他の機器の電源を切る、従業員の勤勉さに依存している。ある形式の装置は、電源の切られた状態から電源が入るまでに、長い時間を要する。例えば、パーソナルコンピュータが”ブートアップ”するのには数分の時間がかかるのがまれではない。コピー機、実験装置のような他の形式の装置は、パワーアップサイクルを完了するのに更なる時間がかかりうる。これらの遅延は、多くの従業員が機器の電源が立ちあがるのを待っている状況では、生産性に悪影響を及ぼす。この長い遅延の結果、多くの従業員は、常に装置の電源をいれたまま、席を離れる。
【０００３】
【発明が解決しようとする課題】
他のアプローチは、パーソナルコンピュータのようなある形式の装置を、電力節約モードの動作を有するように設定する。電力節約モードは、典型的には、１つ又はそれ以上のサブシステムを遮断することにより、装置が低電力を消費する道さモードである。例えば、パーソナルコンピュータは典型的には、電力節約モードでは、ハードディスクとモニタの電源を切る。パーソナルコンピュータは、典型的には、キーボードやマウスの活動なしに規定された量の時間が経過した後に電力節約モードに入る。キーボード又はマウスの活動が回復するときには、電力が全構成要素に回復され、そしてパーソナルコンピュータは標準の電力状態に戻る。このアプローチの１つの欠点は、率が減少しても、ＰＣは電力節約モードでは、なおも電力を消費することである。更に、電力節約モードから標準の動作モードへの遷移は、特定の実行に依存して、数秒以上を要する。このアプローチの他の欠点は、多くの古いコンピュータと他の形式の装置は、電力節約モードの動作に設定されないことである。
【０００４】
建物内の電力を管理する要求と従来のアプローチの制限に基づいて、従来のアプローチの制限からの欠点のない、建物内の電力消費を管理するアプローチが、強く望まれる。
【０００５】
【課題を解決するための手段】
本発明の一面に従って、アプローチは、建物内の電力消費管理するために提供される。このアプローチに従って、ユーザが建物に入った又は出たことを示す信号が受信される。この信号は、例えば、建物の入り口に配置されたＩＤカードリーダにより、発生される。信号を受信することに応答して、建物内の１つ又はそれ以上の資源が、第１の状態と第２の状態の間で変化される。第１の状態で動作しているときには、１つ又はそれ以上の資源は、１つ又はそれ以上の資源が第２の状態で動作しているときと比較して、相対的に低い電力を消費する。このアプローチは、主にユーザにより使用される、パーソナルコンピュータのような、個人資源及び、ユーザ及び他のユーザにより使用される、廊下の電灯及びコピー機のような、共有資源を含む全ての形式の資源に適用可能である。例示の資源は、制限なしに、コンピュータ、実験設備及び装置、コピー機、ファックス機、プリンタ、郵便料金機、電灯及び暖房及び空調システムを含む。
【０００６】
本発明の他の面に従って、信号と状態データに基づいて、ユーザが、建物に入ったか又は出たかどうかの決定が、なされる。ユーザが建物に入った場合には、１つ又はそれ以上の資源が、第１の状態から第２の状態へ変化される。ユーザが建物から出た場合には、１つ又はそれ以上の資源が、第２の状態から第１の状態へ変化される。
【０００７】
本発明の更なる面に従って、信号と状態データに基づいて、ユーザが、建物に入った最初のユーザか又は建物から出た最後のユーザのいずれかであったかの決定が、なされる。ユーザが、建物に入った最初のユーザでああった場合には、１つ又はそれ以上の共有された資源が、第１の状態から第２の状態へ変化される。ユーザが建物から出た最後のユーザでああった場合には、１つ又はそれ以上の共有された資源が、第２の状態から第１の状態へ変化される。
【０００８】
【発明の実施の形態】
限定されない例により実施例を説明する。添付の図面の同様な参照番号は、同様な構成要素を示すものとする。
【０００９】
以下の記載では、説明のために、本発明の徹底的な理解を提供するために、特定の詳細が説明される。しかしながら、本発明は、これらの特定の詳細なしに実行されうることは明らかである。例えば、良く知られた構造及び装置は、本発明を不要に曖昧にすることを避けるために、ブロック図形式で示される。本発明の種々の実施例と面は、次の部分で以下に説明する。
【００１０】
Ｉ．概観
ＩＩ．電力管理構造
ＩＩＩ．建物の入口と出口中の電力管理
ＩＶ．実装機構
【００１１】
Ｉ．概観
建物内の電力消費を管理するアプローチは、ユーザが建物に入ったか又は出たかを示す信号を受信することを含む。信号を受信することに応答して、建物内の１つ又はそれ以上の資源が、第１状態と第２状態の間で変化される。第１の状態で動作しているときには、１つ又はそれ以上の資源は、１つ又はそれ以上の資源が第２の状態で動作しているときと比較して、相対的に低い電力を消費する。このアプローチは、主にユーザにより使用される、個人資源及び、ユーザ及び他のユーザにより使用される、共有資源を含む全ての形式の資源に適用可能である。例示の資源は、制限なしに、コンピュータ、実験設備及び装置、コピー機、ファックス機、プリンタ、郵便料金機、電灯及び暖房及び空調システムを含む。
【００１２】
本発明の一実施例に従って、信号と状態データに基づいて、ユーザが建物に入ったか又は出たかどうかの決定が、なされる。ユーザが建物に入ったか場合には、１つ又はそれ以上の資源が、第１の状態から第２の状態へ変化される。ユーザが建物から出た場合には、１つ又はそれ以上の資源が、第２の状態から第１の状態へ変化される。
【００１３】
本発明の更なる実施例に従って、信号と状態データに基づいて、ユーザが、建物に入った最初のユーザか又は建物から出た最後のユーザのいずれかであったかの決定が、なされる。ユーザが、建物に入った最初のユーザであった場合には、１つ又はそれ以上の共有された資源が、第１の状態から第２の状態へ変化される。ユーザが建物から出た最後のユーザであった場合には、１つ又はそれ以上の共有された資源が、第２の状態から第１の状態へ変化される。
【００１４】
ＩＩ．電力管理構造
図１は、本発明の実施例に従った、建物内の電力消費を管理する配置を示すブロック図である。配置１００は、センサ１０４、カメラ１０６及び、ＩＤカード読み取り器１０８に通信的に接続された、建物出入りシステム１０２を有する。
【００１５】
建物出入りシステム１０２は、センサ１０４、カメラ１０６及び、ＩＤカード読み取り器１０８からのデータに基づいて、個人が建物に入ったか又は出たかを監視しそして追跡する。例えば、建物への出入りは、有効なＩＤカードを有する個人に制限される。建物に入るためには、個人は最初にそれらのＩＤカードをＩＤカード読み取り器１０８に読ませなければならない。ＩＤカード読み取り器１０８は、建物出入りシステム１０２により維持されている有効な識別データに対してＩＤカードに格納されている識別データを確認する、建物出入りシステム１０２へ、ＩＤカードから識別データを供給する。識別データが、建物出入りシステム１０２により維持されている有効な識別データと一致する場合には、例えば、ドアのロックを解除することにより、建物への出入りが認められる。識別データが、建物出入りシステム１０２により維持されている有効な識別データと一致しない場合には、建物への出入りが拒否される。建物出入りシステム１０２は、例えば、不揮発性メモリへ、成功及び不成功な出入りの日付と時間を識別するデータも維持する。
【００１６】
建物出入りシステム１０２は、以下に説明するように、他の要素と通信するネットワーク１１０に接続されている。ネットワーク１１０は、接続された構成要素間のデータの交換を提供するどのような形式の媒体又は機構でもよい。例示のネットワークは、限定はされないが、ローカルエリアネットワーク（ＬＡＮ）、ワイドエリアネットワーク（ＷＡＮ）、インターネット、及び、それらの結合を含み、そして、本発明は、特定の形式のネットワーク又はネットワーク配置に制限されない。
【００１７】
配置１００は、暖房換気空調（ＨＶＡＣ）システム１１４と照明システム１１６に接続され且つその電力を管理する電力コントローラ１１２も有する。配置１００は、更に、各々が通信的にネットワーク１１０に接続された、パーソナルコンピュータ（ＰＣ）１１８、コピー機１２０、実験装置１２２及び、他の装置１２４を含む。配置１００は、本発明の実施例に従った、建物内の電力消費を管理するように構成された電力マネージャ１２６も含む。
【００１８】
ＩＩＩ．建物の入口と出口中の電力管理
図２は、本発明の実施例に従った、建物の入口中で電力を管理するアプローチを示すフロー図２００である。ステップ２０２では、ユーザが、建物へ入ることに成功する。前述のように、建物に入る認可を有するとユーザが識別されたときに入ることに成功する。例えば、ユーザがＩＤカード読み取り器１０８により走査され、そして、建物出入りシステム１０２により確認された識別カードを有する。
【００１９】
ステップ２０４では、電力マネージャ１２６は、そのユーザに関連する個人の及び共有された資源を識別し、そして、識別された資源の状態情報を取り出す。状態情報は、識別された資源の現在の状態、即ち、資源の電源がオンかオフかを示す。電力マネージャ１２６は、同じ資源に関連する他のユーザも識別する。電力マネージャ１２６は、どの資源が特定のユーザに関連しているかを電力マネージャ１２６が素早く決定することを可能とするために、ユーザと資源の間の関係を規定するデータを維持する。電力マネージャ１２６は、資源の現在の状態を示す状態データも維持する。両方の形式のデータは、１つ又はそれ以上のディスクのような局所的な不揮発性メモリ内で又は、例えば以下に詳細に説明するように、遠隔データベース内で、遠隔的に、電力マネージャ１２６により維持される。
【００２０】
ステップ２０６で、資源マネージャ１２６は、どの個人又は共有された資源が活性化されるかを識別する。一般的には、これらは、ユーザが必要とする資源である。従って、資源マネージャ１２６は、現在はオフであるユーザに関連する資源を識別する。例えば、資源マネージャ１２６は、ユーザのＰＣと事務所の電灯のような個人資源が現在オフでありそしてユーザにより必要とされることを決定しうる。他の例としては、資源マネージャ１２６は、廊下の電灯、コピー機、実験装置又は、他の装置のような供給された資源が現在はオフであり、そして、ユーザにより必要とされることを決定する。
【００２１】
ステップ２０８では、電力マネージャ１２６は資源を活性化する。資源を活性化する特定の動作は、活性化される資源の形式と属性により変わりうる。例えば、コピー機１２０のような幾つかの資源に対しては、電力マネージャ１２６は、コピー機１２０を活性化する信号を送信する。この信号は、コピー機１２０を、オフ又は”スリープ“状態から活性化状態へ変化させる。代わりに、電力マネージャ１２６は、電力コントローラ１１２のような他の実体に、コピー機１２０へ電力を与えるように信号を送りうる。
【００２２】
他の例として、ユーザのＰＣ１１８を活性化するために、電力マネージャ１２６は、ＰＣ１１８をオフ又は”スリープ“状態から活性化状態へ変化させるために、ＰＣ１１８内のネットワークインターフェースカード（ＮＩＣ）へ信号を送っても良い。さらに他の例として、資源マネージャ１２６は、ユーザがサービスを必要とする物理的な領域へＨＶＡＣサービスと照明を提供するために、ＨＶＡＣシステム１１４と照明システム１１６が活性化されること要求する電力コントローラ１１２へ信号を送信する。
【００２３】
ステップ２１０では、なされた変更を反映するように、状態情報が更新される。例えば、本発明の実施例に従って、電力マネージャ１２６は活性化された資源とユーザが現在は建物の内部に居ることを反映させるために、不揮発性メモリ上に格納された状態情報を更新する。
【００２４】
このアプローチに従って、ユーザにより要求される資源は、ユーザが建物に入るときに、活性化される。資源は、ユーザが仕事場に到着するときまでに、少なくとも部分的に活性化されそして、理想的には完全に活性化されるので、資源が活性化されるのに数分を必要とする状況では、これは特に有益である。
【００２５】
図３は、本発明の実施例に従った、建物の出口中で電力を管理するアプローチを示すフロー図３００である。ステップ３０２では、ユーザは建物を退出しそして、建物出入りシステム１０２は、ユーザが建物を出たことを知っている。
【００２６】
ステップ３０４では、資源マネージャ１２６は、ユーザに関連する個人及び共有された資源を識別し、そして、識別された資源の状態情報を取り出す。状態情報は、識別された資源の現在の状態を、即ち、資源が現在オンであるか又はオフであるかを示す。電力マネージャ１２６は、同じ資源に関連する他のユーザも識別する。
【００２７】
ステップ３０６では、資源マネージャ１２６は、どの個人又は共有された資源が不活性化されるべきかを識別する。一般的には、これらは、ユーザがもはや使用することを必要としない資源である。このように、資源マネージャ１２６は、現在はオンでそして電源をオフされるべきユーザに関連する個人資源を識別する。例えば、資源マネージャ１２６は、ユーザのＰＣと事務所の電灯（個人資源）が現在はオンであることを決定し得る。共有された資源については、資源マネージャ１２６は、そのユーザに関連しそしてそのユーザ又は他のユーザにもはや必要とされない共有された資源を識別するために状態情報を検査する。例えば、資源マネージャ１２６は、廊下の電灯、コピー機、実験装置又は、他の装置（共有された資源）が、現在は電源がオンでありそして、ユーザは供給された資源に関連する建物内の最後のユーザであることを決定し得る。これらの資源は、不活性化されるために識別される。まだ建物内に居るそのユーザと少なくとも一人の他のユーザの両方に関連する共有された資源は、不活性化のために選択されない。
【００２８】
ステップ３０８では、資源マネージャ１２６は、識別された資源を不活性化する。特定の資源を不活性化するのに要求されるこのステップは、資源から資源で変わる。例えば、ＨＶＡＣシステム１１４と照明システム１１６を不活性化するためには、資源マネージャ１２６は、電力コントローラ１１２がＨＶＡＣシステム１１４と照明システム１１６を不活性化することを要求する信号を電力コントローラ１１２に送信する。ＰＣ１１８又はコピー機１２０のような他の装置については、現在実行している処理が、装置が不活性化される前に処理を終了することが許される。例えば、コピー機１２０を不活性化するために、電力マネージャ１２６は、コピー機１２０へコマンドを送信する。コピー機１２０は、現在のコピージョブを処理することを終了しそして、オフ又は”スリープ“状態へ入る。
【００２９】
他の例として、電力マネージャ１２６は、ＰＣ１１８への不活性化又は“スリープ”コマンドを、例えば、ＰＣ１１８内のネットワークインターフェースカード（ＮＩＣ）へ送ってもよく、そして、これは、現在実行している処理が完了するまでコマンドを待たせる。一旦、それらの処理がそれらの処理を完了すると、ＮＩＣは、ＰＣ１１８を、オフ又は“スリープ”状態に入れる。これらのステップは、例えば、ＰＣ１１８上で実行するアプリケーションにより又は、オペレーティングシステムの機能により実行されうる。代わりに、電力マネージャ１２６がＰＣ１１８上で実行する処理を知っている場合には、電力マネージャ１２６は、遠隔的にそれらの処理を終了させそして、オフ又は“スリープ”コマンドをＰＣ１１８へ発行する。処理は、ＰＣ１１８及び処理の形式に依存して、同時に又は１つづつ閉じ得る。
【００３０】
図４は、ＰＣ１１８の例示の実装を示すブロック図である。この例では、ＰＣ１１８はランダムアクセスメモリ（ＲＡＭ）４００、読み出し専用メモリ（ＲＯＭ）４０２、及び、１つ又はそれ以上のディスク、光ディスク、フラッシュメモリ、テープドライブ又は、その組合せのような、記憶装置４０４を有する。ＰＣ１１８は、入力／出力（Ｉ／Ｏ）コントローラ４０６、表示コントローラ４０８中央処理ユニット（ＣＰＵ）４１０、ネットワークインターフェース４１２、状態コントローラ４１４、及び、スイッチ４１６も有する。スイッチ４１６を除いて、全ての構成要素は、バス４１８を介して互いに通信的に接続されている。スイッチ４１６は、手動でアクセス可能であり、そして、ユーザが手動でＰＣ１１８の状態を、例えば、オフとオン状態の間を、変更することを可能とする。
【００３１】
動作では、ネットワークインターフェース４１２は、例えば、電力マネージャ１２６からの状態変更信号のような、外部信号を受信するように構成され、そして、それらの信号を、バス４１８を介して状態コントローラ４１４へ供給する。状態コントローラ４１４は、ＰＣ１１８の状態を制御する。例えば、電力マネージャ１２６は、ネットワークインターフェース４１２により受信される”スリープ”コマンドを、ＰＣ１１８へ発行する。ネットワークインターフェース４１２は、”スリープ”コマンドを、状態コントローラ４１４へ供給し、これは、ＰＣ１１８を”スリープ”状態へ入れる。”スリープ”状態では、ＰＣ１１８は活性化又は完全な”オン“状態で動作しているときよりも相対的に低い電力を消費する。ここで説明するように、ＰＣ１１８により“スリープ”コマンドが受信されたその時に実行している１つ又はそれ以上の処理は、ＰＣ１１８が”スリープ”状態になる前に遮断される。
【００３２】
ステップ３１０では、なされた変更を反映するように、状態情報が更新される。例えば、本発明の一実施例に従って、電力マネージャ１２６は、不活性化された資源とユーザが現在は建物の外に居ることを反映するために、不揮発性メモリに格納された状態情報を更新する。
【００３３】
このアプローチに従って、ユーザにより要求される個人資源は、ユーザが建物を出たときに不活性化される。また、そのユーザ又は他のユーザによりもはや要求されない共有された資源も、不活性化される。資源を必要とするユーザが建物を出たときにそれらの資源が不活性化されるので、これは、個人及び共有された資源により消費される電力の量の大きな減少を提供する。
【００３４】
ＩＶ．実装機構
図５は、建物出入りシステム１０２の例示の実装を示すブロック図である。この例では、建物出入りシステム１０２は、バス５１４を介して互いに通信的に接続された、ＲＡＭ５００、ＲＯＭ５０２、ＣＰＵ５０４、ネットワークインターフェース５０６、Ｉ／Ｏコントローラ５０８、ディスプレイコントローラ５１０及び、記憶装置５１２を有する。この例では、電力マネージャ１２６と建物出入り機能は、ＣＰＵ５０４により実行される処理として実装される。これらの機能を実行するＣＰＵ５０４により実行される命令は、ＲＡＭ５００、ＲＯＭ５０２、記憶装置５１２又は、それらの組合せに、格納される。
【００３５】
記憶装置５１２は、１つ又はそれ以上のハードディスク、光ディスク、フラッシュメモリ、テープドライブ、又は、その組合せのようなどのような形式の記憶機構によって実行されてもよく、そして、本発明は、特定の実行に限定されない。本例では、記憶装置５１２は、ＩＤデータ５１６、部門データ５１８及び、データテーブル５２０，５２２，５２４を含む。ＩＤデータ５１６は、ユーザが建物に入ることを許されているかどうかを決定するために、建物出入りシステム１０２により使用されうる有効なユーザＩＤを規定するユーザ識別データを含む。ユーザＩＤは、電力消費を管理するここで説明するような電力マネージャ１２６によっても使用される。部門データ５１８は、建物又は組織内の論理的なグループ、即ち、会社の部門、及び、論理グループのメンバであるユーザを規定するデータである。
【００３６】
データテーブル５２０，５２２，５２４は、ここで説明する電力消費を管理するのに使用されるデータを含む。図６Ａ−６Ｃは、本発明の実施例に従った、データテーブル５２０，５２２，５２４の例示の実装を示すブロック図である。図６Ａでは、データテーブル５２０は、ユーザＩＤを含む列６００と、個人資源、この例では各ユーザＩＤに関連する電灯のベクトル、を規定する列６０２を有するテーブルとして実装されている。図６Ｂでは、データテーブル５２２は、ユーザＩＤを含む列６０４と、個人資源、この例では各ユーザＩＤに関連する周辺機器のベクトル、を規定する列６０６を有するテーブルとして実装されている。図６Ｃでは、データテーブル５２４は、ユーザＩＤを含む列６０８と、ＰＣのベクトルと列６０６の各ユーザＩＤについての状態を規定する列６１０、ユーザが建物内にいるか又は外に出ているかを規定するユーザ状態列６１２及び、論理グループを規定する部門列６１４、この例ではユーザが関連する部門、を有するテーブルとして実装されている。
【００３７】
図７Ａと７Ｂは、本発明に従って、記憶装置５１２上で維持される例示のデータテーブル７００，７０８を示すブロック図である。この例では、データテーブル７００，７０８は、建物内の電力を管理する電力マネージャ１２６により使用される共有された資源情報を含む。例えば、データテーブル７００は、特定の部門を規定する部門列７０２、列７０２の各部門に関連する電灯のベクトルを格納する電灯のベクトルの列７０４及び、列７０２の各部門に関連するユーザＩＤのベクトルを格納する、ＩＤのベクトルの列７０６を有する。他の例として、図７Ｂでは、データテーブル７０８は、特定の部門を規定する部門の列７１０、列７１０の各部門に関連する周辺機器のベクトルを格納する周辺機器のベクトルの列７１２及び、列７１０の部門に関連するユーザＩＤのベクトルを格納するＩＤのベクトルの列７１４を有する。
【００３８】
図６Ａ−６Ｃ、７Ａ及び、７Ｂは、記憶装置５１２上に維持されるデータの特定の例を示すが、本発明はこれらの特定の例に限定はされず、どのような形式のデータも、特定のアプリケーションの要求に従って、格納されうる。
【００３９】
図８は、本発明の実施例が実行されうる、コンピュータシステム８００を示すブロック図である。コンピュータシステム８００は、情報を通信するバス８０２又は他の通信機構及び、情報を処理するバス８０２に接続されたプロセッサ８０４を有する。コンピュータシステム８００は、プロセッサ８０４により実行される情報と命令を格納するために、バス８０２に接続された、ランダムアクセスメモリ（ＲＡＭ）又はダイナミック記憶装置のような主メモリ８０６を有する。主メモリ８０６は、プロセッサ８０４により実行される命令の実行中に一時的な変数又は他の中間情報を格納するのにも使用されうる。コンピュータシステム８００は、更に、プロセッサ８０４の静的な情報と命令を格納するためにバス８０２に接続された、読み出し専用メモリ（ＲＯＭ）８０８又は他の静的な記憶装置も有する。磁気ディスク又は光ディスクのような、記憶装置８１０が設けられそして、情報と命令を格納するためにバス８０２に接続されている。
【００４０】
コンピュータシステム８００は、バス８０２を介して、コンピュータユーザへ情報を表示する陰極線管（ＣＲＴ）のような、ディスプレイ８１２へ接続される。英数字と他のキーを有する入力装置８１４は、プロセッサ８０４へ情報とコマンド選択を通信するために、バス８０２へ接続されている。他の形式のユーザ入力装置は、マウス、トラックボール又は、方向情報とコマンド選択をプロセッサ８０４へ通信し、そして、ディスプレイ８１２上のカーソルの動きを制御するためのカーソル方向キーのような、カーソルコントロール８１６である。この入力装置は、典型的には、第１の軸（例えば、ｘ）と第２の軸（例えば、ｙ）の、２つの軸に２次の自由度を有し、これは、装置が面内での位置を規定することを可能とする。
【００４１】
本発明は、建物内の電力消費を制御するコンピュータシステム８００の使用に関連する。本発明の一実施例に従って、建物内での電力消費の管理は、主メモリ８０６内に格納されている１つ又はそれ以上の命令の１つ又はそれ以上のシーケンスを実行するプロセッサ８０４に応答して、コンピュータシステム８００により提供される。そのような命令は、記憶装置８１０のような他のコンピュータ読み出し可能な媒体から主メモリ８０６へ読み込まれてもよい。主メモリ８０６内に格納されている命令のシーケンスの実行は、プロセッサ８０４に、ここに記載の処理ステップを実行させる。マルチプロセッサ配置の１つ又はそれ以上のプロセッサが、主メモリ８０６内に含まれている命令のシーケンスを実行するために使用されても良い。代わりの実施例では、ハードワイアの回路が、本発明を実行するために、ソフトウェア命令に代えて又は組合せて、使用されても良い。従って、本発明の実施例は、ハードウェア回路とソフトウェアの特定の組合せに限定されない。
【００４２】
ここで使用する用語”コンピュータ読み出し可能な媒体”は、実行のためにプロセッサ８０４に命令を供給するのに参加するどのような媒体も指す。そのような媒体は、制限はされないが、不揮発性媒体、揮発性媒体、及び、伝送媒体を含む多くの形式を取り得る。不揮発性媒体は、例えば、記憶装置８１０のような光又は、磁気ディスクを含む。揮発性媒体は、主メモリ８０６のような、ダイナミックメモリを含む。伝送媒体は、バス８０２を含む線を含む、同軸ケーブル、銅線、光ファイバーケーブルを含む。伝送媒体は、無線波及び赤外線データ通信中に発生されるような、音響又は光波の形式を取っても良い。
【００４３】
コンピュータ読み出し可能な媒体の一般的な形式は、例えば、フロッピー（登録商標）ディスク、フレキシブルディスク、ハードディスク、磁気テープ又は、他の形式の磁気媒体、ＣＤ−ＲＯＭ、他の形式の光媒体、パンチカード、紙テープ、パターンと穴を有するたの物理的な媒体、ＲＡＭ、ＰＲＯＭ、及び、ＥＰＲＯＭ、フラッシュ−ＥＰＲＯＭ、他のメモリチップ又はカートリッジ、以後に記載するような搬送波又は、コンピュータがそれから読み出せる他の媒体を含む。
【００４４】
種々の形式のコンピュータ読み出し可能な媒体は、実行のためにプロセッサ８０４への１つ又はそれ以上の命令の１つ又はそれ以上のシーケンスを保持することに関係し得る。例えば、命令は、最初に遠隔コンピュータの磁気ディスク上に記憶されている。遠隔コンピュータは、その命令をダイナミックメモリにロードし、そして、その命令をモデムを使用して電話線を介して送る。コンピュータシステム８００に局所的なモデムは、電話線上のデータを受信でき、そして、データを赤外線信号に変換するために赤外線送信機を使用する。バス８０２に接続された赤外線検出器は、赤外線信号内で送られているデータを受信でき、そして、そのデータをバス８０２上に置くことが出来る。バス８０２は、データを主メモリ８０６に送り、そこからプロセッサ８０４は、命令を取り出しそして実行する。主メモリ８０６により受信された命令は、オプションで、プロセッサ８０４による実行の前又は後のいずれかに、記憶装置８１０に記憶されてもよい。
【００４５】
コンピュータシステム８００は、バス８０２に接続された通信インターフェース８１８も含む。通信インターフェース８１８は、ローカルネットワーク８２２に接続されたネットワークリンク８２０に接続された２方向データ通信を提供する。例えば、通信インターフェース８１８は、対応する形式の電話線へのデータ通信接続を提供する、サービス総合ディジタル網（ＩＳＤＮ）カード又はモデムでもよい。他の例では、通信インターフェース８１８は、互換性のあるＬＡＮへのデータ通信接続を提供する、ローカルエリアネットワーク（ＬＡＮ）カードでもよい。無線リンクも実行され得る。そのような実行では、通信インターフェース８１８は、種々の形式の情報を表すディジタルデータストリームを運ぶ、電気、電磁気又は、光信号を、送信し及び受信する。
【００４６】
ネットワークリンク８２０は、典型的には、１つ又はそれ以上のネットワークを通して他のデータ装置へ、データ通信を提供する。例えば、ネットワークリンク８２０は、ローカルネットワーク８２２を通して、ホストコンピュータ８２４へ又は、インターネットサービス提供業者（ＩＳＰ）８２６により運営されているデータ装置への接続を提供する。ＩＳＰ８２６は、代わりに、現在は“インターネット”８２８と一般的に呼ばれているワールドワイドパケットデータ通信ネットワークを通して、データ通信サービスを提供する。ローカルネットワーク８２２とインターネット８２８の両方は、ディジタルデータストリームを伝送する電気，電磁気又は、光信号を使用する。コンピュータシステム８００との間でディジタルデータを伝送する、種々のネットワークを通した信号及び、ネットワークリンク８２０上の及び通信インターフェース８１８を通した信号は、例えば、情報を搬送する搬送波の形式である。
【００４７】
コンピュータシステム８００は、ネットワーク、ネットワークリンク８２０及び、通信インターフェース８１８を通して、メッセージを送信し、そして、プログラムコードを含む、データを受信できる。インターネットの例では、サーバ８３０は、インターネット８２８、ＩＳＰ８２６、ローカルネットワーク８２２及び、通信インターフェース８１８を通して、アプリケーションプログラムに要求されるコードを送信してもよい。本発明に従って、１つのそのようなダウンロードされたアプリケーションは、ここに説明するように、建物内の電力消費の管理を提供する。
【００４８】
受信されたコードは、それが受信されるとプロセッサ８０４により実行され、及び／又は後の実行のために記憶装置８１０又は他の不揮発性記憶装置に格納される。この方法で、コンピュータシステム８００は、搬送波の形式でアプリケーションコードを取得し得る。
【００４９】
本発明の実施例を、ここでは、主に、建物内の電力消費を管理する状況で説明したが、このアプローチは、オフィスビルディングに限定されず、どのような形式の構造又は配置にも適用可能である。例えば、このアプローチは、オフィスビルディング、アパートメントビルディング、及び、家屋内の電力消費を管理することに適用可能である。また、本発明の実施例を、ここでは、主に、建物への入口と出口で、建物内の電力消費を管理する状況で説明したが、このアプローチは、建物又は共同ビルの異なる部分への入り口と出口にも適用可能である。例えば、このアプローチは、少なくとも規定された時間期間に、建物又は協同ビルの部分にユーザがいなかった又は退出した建物又は共同ビルの一部へユーザが入ったという状況に適用可能である。これは、例えば、ユーザが、移動が検出され且つ追跡できるように、例えば、内部ドア、廊下又は、横断路等の、建物又は協同ビルの異なる部分の間で移動するためにＩＤカードの確認のための提示を要求される状況で実行され得る。このアプローチは、ユーザの識別が、例えば、守衛所又は周囲の門のような、建物の外部の位置で検査される状況にも適用可能である。
【００５０】
電力マネージャ１２６は、ハードウェア、コンピュータソフトウェ又は、ハードウェアとコンピュータソフトウェアの組合せで実行されてもよく、本発明は、どのような特定の実行にも限定はされない。更に、本発明の実施例を、建物出入りシステム１０２の一部として実行される電力マネージャ１２６の状況で説明したが、本発明は、この実行には限定されない。このアプローチは、配置１００内の他のどのような構成要素でも実行され得る。代わりに、このアプローチは、配置１００の種々の構成要素と相互に作用する、独立の機構として実行されてもよい。
【００５１】
建物内の電力を管理するここで説明したアプローチは、ユーザが建物に入るときに資源の電源を立ち上げるために待たされる時間を減少させながら、資源により消費される電力の量を減少させる。
【００５２】
前述では、本発明を、特定の実施例を参照して説明した。しかしながら、種々の修正及び変更は、本発明の広い意図と範囲から離れることなしになされうることは明らかである。従って、明細書と図面は、限定する意味では無く、例示的意味に考えられるべきである。
【００５３】
【発明の効果】
上述のように、本発明により、建物内の電力消費を管理する方法を提供できる。
【図面の簡単な説明】
【図１】本発明の実施例に従った、建物内の電力消費を管理する配置を示すブロック図である。
【図２】本発明の実施例に従った、建物の入口中で電力を管理するアプローチを示すブロック図である。
【図３】本発明の実施例に従った、建物の出口中で電力を管理するアプローチを示すブロック図である。
【図４】本発明の実施例に従って構成されたパーソナルコンピュータの例示の実装を示すブロック図である。
【図５】本発明の実施例に従った、建物出入りシステムの例示の実装を示ブロック図である。
【図６Ａ】本発明の実施例に従った、データテーブルの例示の実装を示ブロックす図である。
【図６Ｂ】本発明の実施例に従った、データテーブルの例示の実装を示ブロックす図である。
【図６Ｃ】本発明の実施例に従った、データテーブルの例示の実装を示ブロックす図である。
【図７Ａ】本発明の他の実施例に従った、例示のデータテーブルを示ブロックす図である。
【図７Ｂ】本発明の他の実施例に従った、例示のデータテーブルを示ブロックす図である。
【図８】本発明の実施例が実行されうるコンピュータシステムのブロック図である。
【符号の説明】
１００　配置
１０２　建物出入りシステム
１０４　センサ
１０６　カメラ
１０８　ＩＤカード読み取り器
１１０　ネットワーク
１１２　電力コントローラ
１１４　暖房換気空調（ＨＶＡＣ）システム
１１６　照明システム
１１８　パーソナルコンピュータ
１２０　コピー機
１２２　実験装置
１２４　他の装置
１２６　電力マネージャ
４００　ランダムアクセスメモリ（ＲＡＭ）
４０２　読み出し専用メモリ（ＲＯＭ）
４０４　記憶装置
４０６　入力／出力（Ｉ／Ｏ）コントローラ
４０８　表示コントローラ
４１０　中央処理ユニット（ＣＰＵ）
４１２　ネットワークインターフェース
４１４　状態コントローラ
４１６　スイッチ
４１８　バス
５００　ＲＡＭ
５０２　ＲＯＭ
５０４　ＣＰＵ
５０６　ネットワークインターフェース
５０８　Ｉ／Ｏコントローラ
５１０　ディスプレイコントローラ
５１２　記憶装置
５１４　バス
５１６　ＩＤデータ
５１８　部門データ
５２０，５２２，５２４　データテーブル
７００，７０８　データテーブル
８００　コンピュータシステム
８０２　バス
８０４　プロセッサ
８０６　主メモリ
８１０　記憶装置
８１２　ディスプレイ
８１４　入力装置
８１６　カーソルコントロール
８１８　通信インターフェース
８２０　ネットワークリンク
８２２　ローカルネットワーク
８２４　ホストコンピュータ
８２６　インターネットサービス提供業者（ＩＳＰ）
８２８　インターネット
８３０　サーバ
【図１】
2004110778.tif 000003
【図２】
2004110778.tif 000004
【図３】
2004110778.tif 000005
【図４】
2004110778.tif 000006
【図５】
2004110778.tif 000007
【図６Ａ】
2004110778.tif 000008
【図６Ｂ】
2004110778.tif 000009
【図６Ｃ】
2004110778.tif 000010
【図７Ａ】
2004110778.tif 000011
【図７Ｂ】
2004110778.tif 000012
【図８】
2004110778.tif 000013